(57)【要約】【課題】  本発明は挟持具に関し、掛止具の解除を容易にして作業性の改善を図った挟持具を提供することを目的とする。【解決手段】  請求項１に係る発明は、一対の挟持杆が支軸を介して回動自在に取り付き、対向する挟持杆の先端側に挟持部が形成され、挟持杆の手元側に握持部が形成されて、一方の握持部に、他方の握持部側に掛止する掛止具が回動自在に取り付く挟持具に於て、前記掛止具が掛止する握持部側に、該掛止具の掛止時に両握持部を近づけることで掛止具に当接して、握持部側との掛止状態を解除させる方向に該掛止具を案内する案内部を設けたことを特徴とする。そして、請求項２に係る発明は、請求項１に記載の挟持具に於て、前記案内部は、掛止具の回動中心に対し、握持部の端部側に向けて離間する方向に傾斜した傾斜面であることを特徴とする。【選択図】    図２
2008211986.tif 000002
【特許請求の範囲】
【請求項１】
一対の挟持杆が支軸を介して回動自在に取り付き、対向する挟持杆の先端側に挟持部が形成され、挟持杆の手元側に握持部が形成されて、一方の握持部に、他方の握持部側に掛止する掛止具が回動自在に取り付く挟持具に於て、
前記掛止具が掛止する握持部側に、該掛止具の掛止時に両握持部を近づけることで掛止具に当接して、握持部側との掛止状態を解除させる方向に該掛止具を案内する案内部を設けたことを特徴とする挟持具。
【請求項２】
前記案内部は、掛止具の回動中心に対し、握持部の端部側に向けて離間する方向に傾斜した傾斜面であることを特徴とする請求項１に記載の挟持具。
【発明の詳細な説明】
【技術分野】
【０００１】
本発明は挟持具に係り、主として釣り用プライヤーや釣り用ばさみ等の魚釣りに用いる挟持具に関する。
【背景技術】
【０００２】
従来から、例えば釣れた魚の口から釣針を外したり、また、仕掛けを作ったりオモリを脱着したりラインを切断したりする際に、釣り用プライヤーが広く使用されている。
特許文献１に開示されるように釣り用プライヤーは、ステンレス鋼等の金属材料からなる一対の挟持杆（杆体）を支軸を介して回動自在に連結したはさみ器具で、対向する挟持杆の先端側に釣針等を挟む挟持部が形成され、挟持杆の手元側に握持部（ハンドル部）が形成された構造となっており、両握持部の開閉操作で挟持部が開閉するようになっている。
【０００３】
また、釣り用ばさみは、とげや毒のある魚やヌメリの強い魚を掴むとき等に使用されており、この釣り用ばさみも、支軸を介して一対の挟持杆を回動自在に組み合わせた構造で、対向する挟持杆の先端側に魚を掴む挟持部が形成され、挟持杆の手元側に握持部が形成されている。そして、両握持部の開閉操作で挟持部が開閉するようになっている。
そして、従来、この種の挟持具では、一方の握持部に、他方の握持部側に掛止するフレーム状の掛止具を回動自在に取り付け、不使用時に該掛止具を他方の握持部側に掛止させて不用意に挟持部（握持部）が開かないようにしたものが知られている。
【特許文献１】特開２００２−３３５８３９号公報
【発明の開示】
【発明が解決しようとする課題】
【０００４】
而して、斯様に不使用時に掛止具を他方の握持部側に掛止させて挟持部が開かないようにすることで、携帯性，収納性，安全性に優れたものとなるが、反面、使用時に掛止具を解除するのに手間が掛かって作業性が悪いといった欠点が指摘されていた。
本発明は斯かる実情に鑑み案出されたもので、前記掛止具の解除を容易にして作業性の改善を図った挟持具を提供することを目的とする。
【課題を解決するための手段】
【０００５】
斯かる目的を達成するため、請求項１に係る発明は、一対の挟持杆が支軸を介して回動自在に取り付き、対向する挟持杆の先端側に挟持部が形成され、挟持杆の手元側に握持部が形成されて、一方の握持部に、他方の握持部側に掛止する掛止具が回動自在に取り付く挟持具に於て、前記掛止具が掛止する握持部側に、該掛止具の掛止時に両握持部を近づけることで掛止具に当接して、握持部側との掛止状態を解除させる方向に該掛止具を案内する案内部を設けたことを特徴とする。
【０００６】
そして、請求項２に係る発明は、請求項１に記載の挟持具に於て、前記案内部は、掛止具の回動中心に対し、握持部の端部側に向けて離間する方向に傾斜した傾斜面であることを特徴とする。
【発明の効果】
【０００７】
各請求項に係る発明によれば、握持部を握ってこれらを近づけるだけの操作で、掛止具と握持部側との掛止状態を簡単に解除できるようにしたので、従来に比し、掛止具の解除が簡単となって挟持具が直ちに使用でき、作業性の改善を図ることが可能となった。
【発明を実施するための最良の形態】
【０００８】
以下、本発明の実施形態を図面に基づいて詳細に説明する。
図１乃至図３は請求項１及び請求項２に係る発明を釣り用ばさみに適用した一実施形態を示し、図１に於て、１は硬質の合成樹脂からなる一対の挟持杆（杆体）３，５を、支軸７を介して回動自在に連結して形成した釣り用ばさみで、対向する挟持杆３，５の先端側には、掴む魚の断面形状に合わせて円弧状に湾曲した一対の挟持部９，１１が設けられている。そして、釣り用ばさみ１の不使用時に、挟持部９，１１の先端は後述する掛止具１３による規制で、常時当接した構造となっている。
【０００９】
一方、挟持杆３，５の手元側（後部側）には、握持部（ハンドル部）１５，１７が設けられており、手で握持部１５，１７を握って互いの間隔を狭めると挟持部９，１１が狭まり、握持部１５，１７を開くと挟持部９，１１が開くようになっている。そして、握持部１５，１７間に１本のばね（付勢部材）１９が張架されており、該ばね１９によって握持部１５，１７は開く方向に常時付勢されている。
【００１０】
そして、図１に示すように一方の握持部１７に、他方の握持部１５側に掛止するフレーム状の掛止具１３が回動自在に取り付けられており、不使用時に該掛止具１３を握持部１５側に掛止させて、挟持部９，１１が不用意に開かないようになっている。
図３に示すように掛止具１３は、１本の硬質な金属製または樹脂製の線材を平面視矩形状に折曲して形成されている。そして、掛止具１３の２つの自由端２１，２３が、握持部１７の下端に突設した突部２５の掛止孔２７に反対方向から掛止されており、図１に示すように掛止具１３は、掛止孔２７を中心に矢印Ａ，Ｂ方向へ回動可能となっている。
【００１１】
また、図１に示すように握持部１５，１７の下端は、夫々、握持部１５，１７の内周２９，３１側から外周３３，３５側へ斜め外方に傾斜する傾斜面３７，３９とされており、前記突部２５は握持部１７の内周３１と面一に連続し乍ら、傾斜面３９に沿って斜め外方へ円弧状に湾曲した外形形状をなしている。そして、突部２５の先端側と傾斜面３９との間に溝４１が形成され、該突部２５に前記掛止孔２７が形成されて、該掛止孔２７に掛止具１３が回動可能に取り付けられている。
【００１２】
一方、図１に示すようにデザイン性を考慮して握持部１５側にも、前記突部２５と略同一形状の突部４３が握持部１５の内周２９と面一に連続して形成されている。そして、突部４３の先端側と傾斜面３７との間に溝４５が形成され、更に、該溝４５の奥部に掛止具１３が係合するロック孔４７が設けられており、図１の二点鎖線で示すように突部４３を跨いでロック孔４７に掛止具１３を係合させると、掛止具１３が不用意に握持部１５側から外れないようになっている。
【００１３】
そして、図１の実線で示すようにロック孔４７から掛止具１３を外すと、握持部１５，１７はコイルスプリング１９のばね力で開こうとするが、掛止具１３の先端側内面が突部４３の外周に掛止して、握持部１５，１７の開放を規制する。
而して、この状態で握持部１５，１７を手で握って、図２の如く握持部１５，１７を近づけると、掛止具１３の先端が前記傾斜面３７に当接するが、既述したように傾斜面３７は、握持部１５の内周２９側から外周３３側へ斜め外方に傾斜した形状、言い換えれば、傾斜面３７は掛止具１３の回動中心（掛止孔２７）に対し、握持部１５の端部側に向けて離間する方向に傾斜した形状であるから、図２の二点鎖線で示すように握持部１５，１７を手で握って間隔を狭めていくと、傾斜面３７は、該掛止具１３を突部４３（握持部１５側）との掛止状態を解除させる矢印Ｂ方向に案内する案内部として機能するようになっている。
【００１４】
そして、突部４３から掛止具１３が外れると、該掛止具１３による規制が解除されて、握持部１５，１７はばね１９の力で広がろうとするようになっている。
本実施形態に係る釣り用ばさみ１はこのように構成されているから、例えば釣場への携帯時や完全に使用しない場合、図１の二点鎖線で示すようにロック孔４７に掛止具１３を係合させておけば、掛止具１３が不用意に握持部１５側から外れることがないため、携帯，収納性に優れ、また、安全である。
【００１５】
そして、釣場で釣りを開始する際に、図１，２の実線で示すようにロック孔４７から掛止具１３を外し、掛止具１３の先端側内面を突部４３の外周に掛止して、近場の釣り用バッグの上等に置いておけばよい。
この後、例えば、釣れた魚のヌメリが強く釣り用ばさみ１を必要とする場合、釣り用ばさみ１を手に取って握持部１５，１７を握れば、図２に示すように傾斜面３７に沿って掛止具１３が矢印Ｂ方向へ案内されて、突部４３から掛止具１３が簡単に外れる。
【００１６】
この結果、掛止具１３による規制が解除されて、握持部１５，１７はばね１９のばね力で広がろうとするため、釣人は斯かるばね力に抗して握持部１５，１７を開閉操作し乍ら、挟持部９，１１で魚を掴めばよい。
そして、作業終了後、握持部１５，１７を握って間隔を狭め、掛止具１３を突部４３に再び掛止させておけばよく、釣り用バッグにしまう際には、掛止具１３をロック孔４７に係合させればよい。
【００１７】
このように本実施形態は、握持部１５，１７を握ってこれらを近づけるだけの操作で、掛止具１３と突部４３（握持部１５側）との掛止状態を簡単に解除できるようにしたので、従来に比し、掛止具１３の解除が容易になって釣り用ばさみ１を直ぐに使用でき、作業性の改善を図ることが可能となった。
尚、本実施形態は、握持部１５，１７間に１本のばね１９を付勢部材として張架したが、付勢部材はばね以外のものを用いることもでき、また、この種の付勢部材は省略してもよい。
【００１８】
また、握持部（挟持杆）の可撓性を利用して、掛止具の掛止操作や掛止の解除操作をしてもよい。
図４乃至図６は請求項１及び請求項２に係る発明を釣り用プライヤーに適用した一実施形態を示し、図４に於て、５１はステンレス鋼等の金属材料からなる一対の挟持杆５３，５５を、支軸７を介して回動自在に連結して形成した釣り用プライヤーで、対向する挟持杆５３，５５の先端側に一対の挟持部５７，５９が設けられている。
【００１９】
そして、挟持部５７は挟持部５９に比しやや長尺に形成され、その先端に、挟持部５９方向へ略Ｖ字状に突出する１つの爪６１が突設されており、従来と同様、該爪６１と、平坦に形成された挟持部５９側の先端部６３との間で、スプリットリング等を開くことができるようになっている。
一方、挟持杆５３，５５の手元側（後部側）には、握持部（ハンドル部）６７，６９が設けられており、手で握持部６７，６９を握って互いの間隔を狭めると挟持部５７，５９が狭まり、握持部６７，６９を開くと挟持部５７，５９が開くようになっている。そして、握持部６７，６９間に１本のばね１９が張架されており、該ばね１９によって握持部６７，６９は開く方向に常時付勢されている。
【００２０】
そして、図４に示すように一方の握持部６９に、他方の握持部６７側に掛止するフレーム状の掛止具６５が回動自在に取り付けられており、不使用時に該掛止具６５を握持部６７側に掛止させて、挟持部５７，５９が不用意に開かないようになっている。
図６に示すように掛止具６５は、金属で形成された平面視矩形状のフレーム枠体からなり、その２つの自由端７１，７３が、握持部６９の下端に突設した突部７５の掛止孔７７に反対方向から掛止されており、掛止具６５は掛止孔７７を中心に回動可能となっている。
そして、掛止具６５内には、更に後述する傾斜面７９との当接部として機能する支柱８１が、釣り用プライヤー５１の前後方向に設けられている。
【００２１】
また、図４に示すように握持部６７，６９の下端は、図１の釣り用ばさみ１と同様、握持部６７，６９の内周８３，８５側から外周８７，８９側へ斜め外方に傾斜する傾斜面７９，９１とされており、前記突部７５は傾斜面９１に正面視半円形状に突設されている。
一方、図４に示すように握持部６７の外周に、前記掛止孔７７の位置と一致させて掛止凹部９３が設けられており、図４乃至図６に示すように掛止具６５の先端９５と前記支柱８１との間に握持部６７を挿入して、掛止具６５の先端９５を該掛止凹部９３に掛止させると、掛止具６５が不用意に握持部６７側から外れないようになっている。
【００２２】
尚、このとき、図５の実線で示すように、前記傾斜面７９と支柱８１との間には間隙が形成されている。
そして、この状態で握持部６７，６９を手で握って、図５の如く握持部６７，６９を近づけていくと、二点鎖線で示すように傾斜面７９が支柱８１に当接するが、既述したように傾斜面７９は、握持部６７の内周８３側から外周８７側へ斜め外方に傾斜した形状、言い換えれば、傾斜面７９は掛止具６５の回動中心（掛止孔７７）に対し、握持部６７の端部側に向けて離間する方向に傾斜した形状であるから、握持部６７，６９を手で握って間隔を狭めていくと、傾斜面７９は、握持部６７との掛止状態を解除させる方向（図中、矢印Ｂ方向）に掛止具６５を案内する案内部として機能するようになっている。そして、握持部６７から掛止具６５が外れると、該掛止具６５による規制が解除されて、握持部６７，６９はばね１９の力で広がろうとする。
【００２３】
本実施形態に係る釣り用プライヤー５１はこのように構成されているから、図５の実線で示すように掛止具６５の先端９５を掛止凹部９３に掛止させておけば、掛止具６５が不用意に握持部６７側から外れることがないため、携帯，収納性に優れ、また、安全である。
そして、釣り用プライヤー５１の使用時に手に取って握持部６７，６９を握れば、図５の二点鎖線で示すように傾斜面７９が支柱８１に当接し乍ら、握持部６７との掛止状態を解除させる方向に掛止具６５を案内して握持部６７から掛止具６５が簡単に外れる。
【００２４】
この結果、掛止具６５による規制が解除されて、握持部６７，６９はばね１９のばね力で広がろうとするため、釣人は斯かるばね力に抗して握持部６７，６９を開閉操作し乍ら、挟持部５７，５９で作業をすればよい。
そして、作業終了後、握持部６７，６９を握って間隔を狭め、掛止具６５の先端９５を掛止凹部９３に再び掛止させておけばよい。
【００２５】
このように本実施形態に係る釣り用プライヤー５１も、握持部６７，６９を握ってこれらを近づけるだけの操作で、掛止具６５と握持部６７側との掛止状態を簡単に解除できるようにしたので、従来に比し、掛止具６５の解除が簡単となって釣り用プライヤー５１が直ちに使用でき、作業性の改善を図ることが可能となった。
尚、既述した各実施形態は、本発明を釣り用プライヤーや釣り用ばさみ等の魚釣用挟持具に適用したものであるが、本発明は魚釣り用に限定されるものではなく、工事用のペンチやプライヤーといったあらゆる作業用の挟持具に適用可能である。
【図面の簡単な説明】
【００２６】
【図１】請求項１及び請求項２の一実施形態に係る釣り用ばさみの正面図である。
【図２】釣り用ばさみの要部拡大正面図である。
【図３】図２のIII−III線断面図である。
【図４】請求項１及び請求項２の一実施形態に係る釣り用プライヤーの正面図である。
【図５】プライヤーの要部拡大正面図である。
【図６】図５のVI−VI線断面図である。
【符号の説明】
【００２７】
１  釣り用ばさみ
３，５，５３，５５  挟持杆
７  支軸
９，１１，５７，５９  挟持部
１３，６５  掛止具
１５，１７，６７，６９  握持部
１９  ばね
２５，４３，７５  突部
２７，７７  掛止孔
３７，３９，７９，９１  傾斜面
４１，４５  溝
４７  ロック孔
５１  釣り用プライヤー
６１  爪
８１  支柱
９３  掛止凹部
９５  掛止具の先端
【図１】
2008211986.tif 000003
【図２】
2008211986.tif 000004
【図３】
2008211986.tif 000005
【図４】
2008211986.tif 000006
【図５】
2008211986.tif 000007
【図６】
2008211986.tif 000008